【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
照射された放射線を検出する複数の検出素子が配列されたセンサ部と、
音による報知を行う報知部と、を備え、
前記報知部から発せられる音は、前記センサ部における信号の読み出し周波数に基づく基本周波数を有していることを特徴とする放射線撮影装置。
【請求項２】
前記報知部から発せられる音は前記センサ部から読み出される画像のうちの所定の領域の行数と、行単位の信号の読み出し周波数に基づく前記基本周波数を有することを特徴とする請求項１に記載の放射線撮影装置。
【請求項３】
前記報知部から発せられる音の基本周波数ｆａが、前記センサ部からの行単位の信号の読み出し周波数をｆｓ、前記センサ部から読み出される画像のうちの所定の領域の行数をＬ（Ｌ≧２）とした場合に、
ｆａ≦ｆｓ／２の場合：ｆａ≦ｆｓ／Ｌ
ｆａ＞ｆｓ／２の場合：ｆａ＞（Ｌ−１）×ｆｓ／Ｌ
の条件を満たす、ことを特徴とする請求項２に記載の放射線撮影装置。
【請求項４】
前記所定の領域は、前記センサ部から読み出される画像の全体または一部であることを特徴とする請求項２または３に記載の放射線撮影装置。
【請求項５】
照射された放射線を検出する複数の検出素子が配列されたセンサ部と、
音による報知を行う報知部と、
前記センサ部の前記複数の検出素子と接続されたバイアス配線に流れる電流値をサンプリングして前記センサ部への放射線の照射を検出する検出部と、を備え、
前記報知部から発せられる音の基本周波数が、前記検出部が行う電流値のサンプリング周波数の１／２以下であるという条件を満たすことを特徴とする放射線撮影装置。
【請求項６】
前記検出部は、空読みのために前記センサ部から行単位で信号を読み出すタイミングと、前記読み出しの間のタイミングでサンプリングを行うことにより相関二重サンプリングを実施し、
前記報知部から発せられる音の基本周波数ｆａが、前記空読みのための行単位での信号の読み出しの周波数をｆｓとした場合に、
ｆａ≦ｆｓ
の条件を満たすことを特徴とする請求項５に記載の放射線撮影装置。
【請求項７】
前記相関二重サンプリングでは、前記センサ部からの行単位での信号の読み出しの実行時にサンプリングされた電流値と、その読み出しの前後でサンプリングされた２つの電流値の平均値と、が用いられることを特徴とする請求項６に記載の放射線撮影装置。
【請求項８】
照射された放射線を検出する複数の検出素子が配列されたセンサ部と、
音による報知を行う報知部と、
前記センサ部のバイアス配線に流れる電流値をサンプリングして前記センサ部への放射線の照射を検出する検出部と、を備え、
前記検出部はノイズを低減するためのバンドパスフィルタを備え、
前記報知部から発せられる音の基本周波数をｆａ、前記検出部によるサンプリングの周波数をｆｓ、前記バンドパスフィルタの通過する周波数帯域をｆｌからｆｈとした場合に、
ｆａ≦ｆｓ／２の場合：ｆａ＜ｆｌまたはｆａ＞ｆｈ
ｆａ＞ｆｓ／２の場合：ｆｓ−ｆａ＜またはｆｓ−ｆａ＞ｆｈ
の条件を満たすことを特徴とする放射線撮影装置。
【請求項９】
特定の事象の通知に対応した音が前記条件を満たす音に設定されていることを特徴とする請求項３、５乃至８のいずれか１項に記載の放射線撮影装置。
【請求項１０】
通知すべき複数の事象の各々と通知のための音の対応を設定する設定手段をさらに備え、
前記複数の事象のうち前記特定の通知対象には、前記条件を満たさない音との対応を設定することが禁止されていることを特徴とする請求項９に記載の放射線撮影装置。
【請求項１１】
前記特定の事象は、バッテリ残量不足を含むことを特徴とする請求項９または１０に記載の放射線撮影装置。
【請求項１２】
前記特定の事象は、通信の切断の発生を含むことを特徴とする請求項９乃至１１のいずれか１項に記載の放射線撮影装置。
【請求項１３】
照射された放射線を検出する複数の検出素子が配列されたセンサ部と、
音による報知を行う報知部と、を備える放射線撮影装置の制御方法であって、
通知対象の事象の発生を検出する検出工程と、
前記事象の発生の検出に応じて、前記報知部に発音を実行させる発音工程と、を有し、
前記報知部から発せられる音は、前記センサ部における信号の読み出し周波数に基づく基本周波数を有していることを特徴とする放射線撮影装置の制御方法。
【請求項１４】
前記報知部から発せられる音は、前記センサ部から読み出される画像のうちの所定の領域の行数と、行単位の信号の読み出し周波数に基づく前記基本周波数を有することを特徴とする請求項１３に記載の放射線撮影装置の制御方法。
【請求項１５】
少なくとも前記事象が特定の事象の場合に、基本周波数ｆａが、
ｆａ≦ｆｓ／２の場合：ｆａ≦ｆｓ／Ｌ
ｆａ＞ｆｓ／２の場合：ｆａ＞（Ｌ−１）×ｆｓ／Ｌ
ここで、ｆｓは前記センサ部からの行単位の信号の読み出し周波数、Ｌは前記センサ部から読み出される画像のうちの所定の領域の行数（Ｌ≧２）を示す、
の条件を満たす音を、前記報知部から発せさせることを特徴とする請求項１２に記載の放射線撮影装置の制御方法。
【請求項１６】
照射された放射線を検出する複数の検出素子が配列されたセンサ部と、
音による報知を行う報知部と、を備える放射線撮影装置の制御方法であって、
前記センサ部のバイアス配線に流れる電流値をサンプリングして前記センサ部への放射線の照射を検出する照射検出工程と、
通知対象の事象の発生を検出する検出工程と、
前記事象の発生の検出に応じて、前記報知部に発音を実行させる発音工程と、を有し、
少なくとも前記事象が特定の事象の場合に、基本周波数ｆａが、前記照射検出工程で行われる電流値のサンプリング周波数の１／２以下であるという条件を満たす音を前記報知部から発せさせることを特徴とする放射線撮影装置の制御方法。
【請求項１７】
照射された放射線を検出する複数の検出素子が配列されたセンサ部と、
音による報知を行う報知部と、を備える放射線撮影装置の制御方法であって、
前記センサ部の前記複数の検出素子に接続されたバイアス配線に流れる、バンドパスフィルタを通過した電流をサンプリングして得られた電流値に基づいて前記センサ部への放射線の照射を検出する照射検出工程と、
通知対象の事象の発生を検出する検出工程と、
前記事象の発生の検出に応じて、前記報知部に発音を実行させる発音工程と、を有し、
少なくとも前記事象が特定の事象の場合に、基本周波数ｆａが、
ｆａ≦ｆｓ／２の場合：ｆａ＜ｆｌまたはｆａ＞ｆｈ
ｆａ＞ｆｓ／２の場合：ｆｓ−ｆａ＜またはｆｓ−ｆａ＞ｆｈ
ここで、ｆｓは前記照射検出工程におけるサンプリングの周波数、ｆｌ〜ｆｈは前記バンドパスフィルタが通過させる周波数帯域である、
の条件を満たす音を、前記報知部から発せさせることを特徴とする放射線撮影装置の制御方法。
【請求項１８】
請求項１３乃至１７のいずれか１項に記載の制御方法の各工程をコンピュータに実行させるためのプログラム。
【手続補正２】
【補正対象書類名】明細書
【補正対象項目名】０００７
【補正方法】変更
【補正の内容】
【０００７】
上記の目的を達成するための本発明の一態様による放射線撮影装置は以下の構成を備える。すなわち、
照射された放射線を検出する複数の検出素子が配列されたセンサ部と、
音による報知を行う報知部と、を備え、
前記報知部から発せられる音は、前記センサ部における信号の読み出し周波数に基づく基本周波数を有している。